【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
複数の送信アンテナを備える送信機及び複数の受信アンテナを備える受信機を含む多入力多出力（ＭＩＭＯ）直交周波数分割多重（ＯＦＤＭ）システムにおいて前記送信機から前記受信機にデータを伝送する方法であって、
（ａ）前記送信機が少なくとも１つのデータストリームを生成するステップ、
（ｂ）前記送信機が複数の空間ストリームを生成するステップ、並びに、
（ｃ）前記送信機が周波数ダイバーシティ（ＦＤ）を実施するデータを伝送するステップであって、複数の副搬送波のうちの少なくとも２つの副搬送波がペアにされて該ペアの一方の副搬送波がデータシンボルを伝送し及び他方の副搬送波が該データシンボルの複素共役を伝送するステップ
を有することを特徴とする方法。
【請求項２】
前記送信機がさらに、空間多重化（ＳＭ）及び空間周波数ブロック符号化（ＳＦＢＣ）のうちの少なくとも１つを前記データの伝送において実施することを特徴とする請求項１に記載の方法。
【請求項３】
前記送信機が、ＦＤ及び非ＦＤの両方を前記データの伝送において同時に実施することを特徴とする請求項１に記載の方法。
【請求項４】
前記送信機がさらに、ビーム選択を前記データの伝送において実施し、該実施により前記データは該選択されたビームを介してのみ伝送されることを特徴とする請求項１に記載の方法。
【請求項５】
各副搬送波の前記送信機と前記受信機との間のチャネル状態情報（ＣＳＩ）を取得するステップであって、該取得により前記送信機が前記データを伝送するために伝送方式の選択に前記ＣＳＩを使用するステップをさらに備えることを特徴とする請求項１に記載の方法。
【請求項６】
チャネル行列の特異値分解（ＳＶＤ）によって取得された最大特異値を有するビームが選択されることを特徴とする請求項４に記載の方法。
【請求項７】
空間周波数ブロック符号化（ＳＦＢＣ）が、チャネル行列の前記ＳＶＤによって取得されたより低い特異値を有する２つの空間ストリームに適用されることを特徴とする請求項６に記載の方法。
【請求項８】
前記ＣＳＩは、前記受信機から前記送信機にフィードバックされることを特徴とする請求項５に記載の方法。
【請求項９】
前記ＣＳＩは前記送信機によりチャネル相反を使用して取得されることを特徴とする請求項５に記載の方法。
【請求項１０】
前記送信機がさらに、ビーム形成を固定ビーム形成行列で前記データの伝送において実行することを特徴とする請求項１に記載の方法。
【請求項１１】
データストリームの数が変調及び符号化方式によって決定されることを特徴とする請求項１に記載の方法。
【請求項１２】
多入力多出力（ＭＩＭＯ）直交周波数分割多重（ＯＦＤＭ）システムにおいて、
少なくとも２つの送信アンテナ、
データにチャネル符号化を実行するように構成されたチャネル符号化器、
複数の空間ストリームを生成して前記データを伝送し、及び、複数の副搬送波のうちの少なくとも２つの副搬送波がペアにされて該ペアの一方の副搬送波がデータシンボルを伝送し及び他方の副搬送波が該データシンボルの複素共役を伝送する周波数ダイバーシティ（ＦＤ）を実施するように構成された送信処理ユニット
を備えることを特徴とする送信機。
【請求項１３】
複数の独立したデータストリームを生成するマルチプレクサをさらに備え、該生成により前記複数のデータストリームは別個に伝送されることを特徴とする請求項１２に記載の送信機。
【請求項１４】
副搬送波の各ペアについて前記データストリームのＳＦＢＣ符号化を実行するように構成された複数の空間周波数ブロック符号化（ＳＦＢＣ）ユニットをさらに備えることを特徴とする請求項１２に記載の送信機。
【請求項１５】
３つ以上の固有ビームが生成され、２つの固有ビームはＳＦＢＣに使用され、残りの固有ビームは空間多重化（ＳＭ）に使用されることを特徴とする請求項１４に記載の送信機。
【請求項１６】
前記送信処理ユニットがさらに、空間多重化（ＳＭ）及び非ＦＤのうちの少なくとも１つを前記データの伝送において実施することを特徴とする請求項１２に記載の送信機。
【請求項１７】
ＳＦＢＣについての前記固有ビームはチャネル行列の特異値分解（ＳＶＤ）に基づいて選択されることを特徴とする請求項１５に記載の送信機。
【請求項１８】
より小さい特異値を有する固有ビームがＳＦＢＣに選択されることを特徴とする請求項１７に記載の送信機。
【請求項１９】
前記送信処理ユニットは、特異値分解（ＳＶＤ）によって取得されたより大きい特異値を有する固有ビームを選択し、該選択された固有ビームを介して前記データを伝送することを特徴とする請求項１２に記載の送信機。
【請求項２０】
前記送信処理ユニットがさらに、ビーム形成を固定ビーム形成行列で前記データの伝送において実行することを特徴とする請求項１２に記載の送信機。
【請求項２１】
前記送信処理ユニットは閉ループ処理を実施し、前記データの伝送において受信機から受信されたチャネル状態情報を使用することを特徴とする請求項１２に記載の送信機。
【請求項２２】
前記送信処理ユニットは閉ループ処理を実施し、チャネル状態情報を受信機から受信せずに前記データを伝送することを特徴とする請求項１２に記載の送信機。
【請求項２３】
多入力多出力（ＭＩＭＯ）直交周波数分割多重（ＯＦＤＭ）システムにおいて少なくとも２つの送信アンテナを含む送信機に備えられる集積回路（ＩＣ）であって、
入力のデータにチャネル符号化を実行するように構成されたチャネル符号化器、
複数の空間ストリームを生成して前記データを伝送し、及び、複数の副搬送波のうちの少なくとも２つの副搬送波がペアにされて該ペアの一方の副搬送波がデータシンボルを伝送し及び他方の副搬送波が該データシンボルの複素共役を伝送する周波数ダイバーシティ（ＦＤ）を実施するように構成された送信処理ユニット
を備えることを特徴とする集積回路（ＩＣ）。
【請求項２４】
複数の独立したデータストリームを生成するマルチプレクサをさらに備え、該生成により前記複数のデータストリームは別個に伝送されることを特徴とする請求項２３に記載のＩＣ。
【請求項２５】
副搬送波の各ペアについて前記データストリームのＳＦＢＣ符号化を実行するように構成された複数の空間周波数ブロック符号化（ＳＦＢＣ）ユニットをさらに備えることを特徴とする請求項２３に記載のＩＣ。
【請求項２６】
３つ以上の固有ビームが生成され、２つの固有ビームはＳＦＢＣに使用され、残りの固有ビームは空間多重化（ＳＭ）に使用されることを特徴とする請求項２５に記載のＩＣ。
【請求項２７】
前記送信処理ユニットがさらに、空間多重化（ＳＭ）及び非ＦＤのうちの少なくとも１つを前記データの伝送において実施することを特徴とする請求項２３に記載のＩＣ。
【請求項２８】
ＳＦＢＣについての前記固有ビームはチャネル行列の特異値分解（ＳＶＤ）に基づいて選択されることを特徴とする請求項２６に記載のＩＣ。
【請求項２９】
より小さい特異値を有する固有ビームがＳＦＢＣに選択されることを特徴とする請求項２８に記載のＩＣ。
【請求項３０】
前記送信処理ユニットは、特異値分解（ＳＶＤ）によって取得されたより大きい特異値を有する固有ビームを選択し、該選択された固有ビームを介して前記データを伝送することを特徴とする請求項２３に記載のＩＣ。